(57)【特許請求の範囲】
【請求項１】
符号化データを含む赤外光の受光が可能な受光手段と、前記受光手段が受光した赤外光に含まれる符号化データを復号化する復号化手段と、前記復号化手段が復号化した復号化データの出力処理を行う出力処理手段と、電源からの電力によって装置内へ給電を行うと共に、その給電に係る制御を行う給電制御手段とを備えたデータ受光装置において、
データの記憶を行うデータ記憶手段を備え、
前記給電制御手段は、前記出力処理手段を非給電にすると共に、前記受光手段、前記復号化手段、および前記データ記憶手段へ給電する第１給電状態で給電制御を行うことが可能にしてあり、
前記第１給電状態で前記受光手段が符号化データを含む赤外光を受光した場合、前記データ記憶手段は、受光された赤外光に含まれる符号化データに係る受光データの記憶を行うことを特徴とするデータ受光装置。
【請求項２】
前記第１給電状態で前記受光手段が符号化データを含む赤外光を受光した場合、前記データ記憶手段は、受光された赤外光に含まれる符号化データを前記復号化手段で複合化した復号化データを記憶するようにしてある請求項１に記載のデータ受光装置。
【請求項３】
前記第１給電状態で前記受光手段が符号化データを含む赤外光を受光した場合、前記給電制御手段は、前記出力処理手段へ給電する給電制御を行うようにしてあり、
給電された前記出力処理手段は、前記データ記憶手段に記憶された復号化データを読み出して出力処理を行う請求項２に記載のデータ受光装置。
【請求項４】
前記給電制御手段が前記出力処理手段へ給電する給電制御を行った場合、前記データ記憶手段に復号化データが記憶されているか否かを検出する検出手段を備え、
前記検出手段が前記データ記憶手段に復号化データが記憶されていることを検出した場合、前記出力処理手段は、前記データ記憶手段から復号化データを読み出す請求項２または請求項３のいずれか１項に記載のデータ受光装置。
【請求項５】
前記受光手段が符号化データを含む赤外光を受光した場合、符号化データを含む赤外光を受光した旨の通知出力を行う通知出力手段を備える請求項１乃至請求項４のいずれか１項のデータ受光装置。
【発明の詳細な説明】
【技術分野】
【０００１】
本発明は、電源オフの待機状態で赤外光の受光に関する部分のみを作動させるものであり、特に待機状態で発せられた符号化データを含む赤外光に対して、確実に符号化データを保持できるようにしたデータ受光装置に関する。
【背景技術】
【０００２】
従来、リモートコントロール装置（以下、リモコン装置と称す）で遠隔操作が可能な電気機器（テレビジョン装置、録画装置など）は、電源オフ状態でもリモコン装置での電源オン操作に反応して起動できるようにするため、リモコン装置から発せられる赤外光の受光に関する部分にのみ給電を行って起動させておく給電制御が一般に行われていた。また、昨今のテレビジョン装置、録画装置などの中には、無線で画像データ等を受け取れるようにした機種も存在し、無線方式としては、無線ＬＡＮ、Ｂｌｕｅｔｏｏｔｈ（登録商標）、赤外線通信（ＩｒＤＡ（Infrared Data Association）フォーマット）等が採用されている。
【０００３】
このように無線で画像データ等を送信する側の装置には、デジタルカメラ、撮像機能付きの携帯電話機等があり、送信対象の画像データのデータ量を削減するため通常、符号化した状態で画像データを送信する仕様になっている。また、受信側の装置には、プリンター、テレビジョン装置、録画装置、ディスプレイ装置などがあり、これらの装置は、受信した符号化データを復号化して出力に係る処理（プリントアウト、画像表示などの処理）を行う。
【０００４】
なお、下記の特許文献１は、電源オフ状態での消費電力を抑制するようにしたビデオ放送送受信システムを開示している。また、下記の特許文献２は、画像データをＩｒＤＡ変調データに変換して、画像データをＩｒＤＡフォーマットで無線送信する内容を開示している。
【特許文献１】特開２００２−３１４８９７号公報
【特許文献２】特開平１１−７５１０２号公報
【発明の開示】
【発明が解決しようとする課題】
【０００５】
画像データ等を無線で送るための無線方式の中には、送信側の装置と受信側の装置が無線通信のための接続確立を行ってから、画像データ等の通信を行う方式と、接続確立を行うことなく、送信側の装置から画像データ等を送信する方式がある。後者の無線方式の具体例としては、ＩｒＳｉｍｐｌｅ（ＩｒＤＡで国際標準規格として策定された赤外線通信技術）がある。
【０００６】
ＩｒＳｉｍｐｌｅによる通信では、上述したように接続確立を行わずに、いきなり画像データ等を送信する方式（ｕｎｉｍｏｄｅ（ユニモード）と称される）が採用されているため、送信側の装置では、無事にデータが送信できたかを確認することができないと云う問題がある。さらに、ＩｒＳｉｍｐｌｅに対応した各種装置は、電源オフの待機状態でデータを受信しても、そのデータを一時的に保存する仕様になっていないため、受信側の装置が電源オフのときに、送信側の装置がデータを送信すれば、送信されたデータが消失するおそれがある。
【０００７】
本発明は、斯かる問題に鑑みてなされたものであり、接続確立を行わずに無線で符号化データを通信する方式に対応した受信側の装置が電源オフの状態であっても、符号化データの受信部分を作動させて、電源オフ時に受信するデータを保存できるようにしたデータ受光装置を提供することを目的とする。
また、本発明は、接続確立を行わずに無線で符号化データを通信する方式に対応した受信側の装置が、符号化データを受信すれば、受信の旨を外部へ通知できるようにした複合化データ出力装置を提供することを目的とする。
【課題を解決するための手段】
【０００８】
上記課題を解決するために本発明に係るデータ受光装置は、符号化データを含む赤外光の受光が可能な受光手段と、前記受光手段が受光した赤外光に含まれる符号化データを復号化する復号化手段と、前記復号化手段が復号化した復号化データの出力処理を行う出力処理手段と、電源からの電力によって装置内へ給電を行うと共に、その給電に係る制御を行う給電制御手段とを備えたデータ受光装置において、データの記憶を行うデータ記憶手段を備え、前記給電制御手段は、前記出力処理手段を非給電にすると共に、前記受光手段、前記復号化手段、および前記データ記憶手段へ給電する第１給電状態で給電制御を行うことが可能にしてあり、前記第１給電状態で、前記受光手段が符号化データを含む赤外光を受光した場合、前記データ記憶手段は、受光された赤外光に含まれる符号化データに係る受光データの記憶を行うことを特徴とする。
【０００９】
本発明にあっては、符号化データを含む赤外線（赤外光）の受信（受光）に係る部分（受光手段、復号化手段、およびデータ記憶手段）へ給電する第１給電状態を行えると共に、第１給電状態で符号化データを含む赤外光を受光した場合、受光した符号化データに係る記憶をデータ記憶手段で行うので、受信側の装置が待機状態（装置内の大半の部分が非給電状態）であっても、受信した符号化データをデータ記憶手段で確実に保持できるようになる。
【００１０】
また、本発明に係るデータ受光装置は、前記第１給電状態で前記受光手段が符号化データを含む赤外光を受光した場合、前記データ記憶手段は、受光された赤外光に含まれる符号化データを前記復号化手段で複合化した復号化データを記憶するようにしてあることを特徴とする。
【００１１】
本発明にあっては、受光した赤外光に係る符号化データを復号化手段で復号化してからデータ記憶手段で記憶するので、出力処理手段で出力をする際に、復号化する必要がなくなり、復号化の処理を待つこと無しに出力処理をスムーズに行えるようになる。
【００１２】
さらに、本発明に係るデータ受光装置は、前記第１給電状態で前記受光手段が符号化データを含む赤外光を受光した場合、前記給電制御手段は、前記出力処理手段へ給電する給電制御を行うようにしてあり、給電された前記出力処理手段は、前記データ記憶手段に記憶された復号化データを読み出して出力処理を行うことを特徴とする。
【００１３】
本発明にあっては、第１給電状態で符号化データを含む赤外光を受光すると、自動的に出力処理手段へ給電が行われて、符号化データから複合化された復号化データを記憶するデータ記憶手段から、その復号化データを読み出して出力処理を行う。そのため、データ受光装置が省電力に対応した第１給電状態であっても、符号化データを含む赤外光を一旦、受光すれば、出力処理手段にも給電が行われて復号化データの出力処理が行われるため、省電力性を確保しながらも、受光したデータのスムーズな出力処理も行える。
【００１４】
さらにまた、本発明に係るデータ受光装置は、前記給電制御手段が前記出力処理手段へ給電する給電制御を行った場合、前記データ記憶手段に復号化データが記憶されているか否かを検出する検出手段を備え、前記検出手段が前記データ記憶手段に復号化データが記憶されていることを検出した場合、前記出力処理手段は、前記データ記憶手段から復号化データを読み出すことを特徴とする。
【００１５】
本発明にあっては、ユーザによるリモコン装置の電源オン操作などにより、出力処理手段が給電状態になり、その場合に、データ記憶手段に復号化データが記憶されていれば、データ記憶手段から復号化データを読み出して出力処理を行うので、出力処理手段の起動に合わせて復号化データの出力処理を行えるようになる。そのため、データ記憶手段に蓄えておいた復号化データを、出力処理手段を起動させてから出力できるようになり、ユーザの使い勝手に合わせた出力処理を提供できる。
【００１６】
また、本発明に係るデータ受光装置は、前記受光手段が符号化データを含む赤外光を受光した場合、符号化データを含む赤外光を受光した旨の通知出力を行う通知出力手段を備えることを特徴とする。
【００１７】
本発明にあっては、符号化データを含む赤外光を受光した場合、受光した旨の通知出力を行うので、無線通信の接続確立を行わない無線通信方式であっても、送信側の装置は、送信した復号化データが無事に受信されたことを確認できるようになる。なお、通知出力の例としては、ＬＥＤなどで構成されるインジゲータランプを点灯させること、特定の音を出力することが考えられる。また、このような通知出力は、特に第１給電状態での受光に好適であるが、データ受光装置の全体が電源オン状態で作動している場合における受光に対しても通知出力を行ってもよい。
【発明の効果】
【００１８】
本発明にあっては、受光に係る箇所のみに給電を行う第１給電状態で給電制御を行うことで、待機状態の消費電力を抑制できると共に、第１給電状態で符号化データを含む赤外光を受光すれば、受光に係るデータをデータ記憶手段で記憶するので、ユニモードで送信された符号化データを確実に保存できる。
また、本発明にあっては、受光した赤外光に係る符号化データを復号化手段で復号化してからデータ記憶手段で記憶するので、出力処理を行う際にスムーズな出力処理を実現できる。
【００１９】
本発明にあっては、第１給電状態で符号化データを含む赤外光を受光すると、自動的に出力処理手段へ給電が行われて、データ記憶手段から復号化データを読み出して出力処理が行われるので、省電力性を維持しながらも、復号化データの自動出力も行える。
また、本発明にあっては、出力処理手段が給電状態になって、データ記憶手段に復号化データが記憶されていれば、データ記憶手段から復号化データが読み出されて出力処理が行われるので、ユーザの電源オン操作等に合わせて復号化データの出力処理を行える。
【００２０】
本発明にあっては、符号化データを含む赤外光を受光した場合、受光した旨の通知出力を行うので、ユニモードで送信が行われても、送信側の装置のユーザはデータ受光装置で送信したデータが無事受信されたことを通知出力で確認でき、ユニモードによる送信に対してユーザの安心度を高められる。
【発明を実施するための最良の形態】
【００２１】
図１は、本発明の実施形態に係るテレビジョン装置１０の主要構成を示すブロック図である。テレビジョン装置１０は本発明のデータ受光装置に該当し、赤外光によるデータ通信方式であるＩｒＳｉｍｐｌｅにより、外部から送られる画像データ等を受信可能にしている。また、テレビジョン装置１０は本発明に関連する内部回路として、受光処理回路１１、出力処理回路２０、および給電制御部３０を有し、電源オフの待機状態では、受光処理回路１１へ常に給電を行い、待機状態でも外部の装置とＩｒＳｉｍｐｌｅによる通信を可能にし、外部の装置から送られてきたデータを受信して保持できるようにしている。
【００２２】
なお、本実施形態では、外部の装置（送信側の装置）として撮像機能付きの携帯電話機１を用いており、携帯電話機１は、筐体１ａの前面下方に複数のキーからなる操作部２を設けると共に、筐体１ａの前端に発光部（発信部）３を具備する。この携帯電話機１では、操作部２を適宜操作することで、撮影した画像データを符号化し、符号化したデータを含ませた赤外光をＩｒＳｉｍｐｌｅの通信方式で発光部３から発するようになっている。
【００２３】
また、テレビジョン装置１０の受光処理回路１１は、ＩｒＳｉｍｐｌｅによる赤外光の受光を行うものであり、出力処理回路２０は画像データの表示出力処理を行うものであり、給電制御部３０は受光処理回路１１と、出力処理回路２０とに給電を行うための制御を行う。なお、図１において、実線の矢印はデータの流れを表しており、また、波線の矢印は制御信号または指示信号等の流れを表している。
【００２４】
テレビジョン装置３０の給電制御部３０は装置内の給電に係る制御を行う給電制御手段として機能し、図示しない商用電源（交流１００Ｖ）と接続されて、交流１００Ｖを所定電圧の直流電力に変換し、変換した直流電力を、テレビジョン装置１０が電源オフの待機状態であれば、第１給電状態として出力処理回路２０を非給電にすると共に、受光処理回路１１へのみ給電する制御を行う。また、テレビジョン装置１０における電源オンの操作が行われた場合、または、後述する符号化データを含む受光があった場合、給電制御部３０は、受光処理回路１１に加えて、出力処理回路２０へ給電する制御を行う。なお、符号化データの受光に伴う給電状態の切替制御は、受光処理回路１１から給電制御部３０へ送られる制御信号に基づき行われる。
【００２５】
また、受光処理回路１１は、受光部（受光手段に相当）１２、デコード処理部（復号化手段に相当）１３、メモリ（データ記憶手段に相当）１４、メモリコントローラ１５、マイコン部１６、および発光部１７等を有している。受光部１２は、外部から発せられた符号化データを含む赤外光の受光を行うものであり、フォトダイオードのような受光素子を受光処理用回路を含む基板に実装した構成になっている。
【００２６】
デコード処理部１３は、受光部１２で受光された赤外光に含まれる符号化データを復号化する処理を行うものであり、復号化したデータをメモリ１４へ送るようにしている。なお、デコード処理部１３は、受光部１２から送られてくる各データに対して復号化処理を行っており、ＩｒＳｉｍｐｌｅの規格に基づき符号化されたデータの復号化処理を行えた場合、その旨をマイコン部１６へ伝えるようにしており、復号化処理を行えなかった場合は、特にマイコン部１６へは伝達を行わない。
【００２７】
メモリ１４は、受光処理回路１１へ給電されている状態で、デコード処理部１３で複合化された復号化データを一時的に記憶保存するものであり、記憶している復号化データは出力処理回路２０へ読み出すことが可能になっている。なお、メモリ１４は数十枚から数百枚程度の画像に応じた画像データを記憶できる記憶容量を有している。また、メモリコントローラ１５（検出手段に相当）は、メモリ１４のデータの記憶保存状態の管理を行っており、特に、給電制御部３０が出力処理回路２０へ給電を開始した場合、メモリ１４に復号化データが記憶されているか否かを検出して、検出結果を出力処理回路２０へ通知する処理を行う。
【００２８】
さらに、マイコン部１６は、給電制御部３０の給電状態を切り替える指示制御を行うと共に、受光部１２でＩｒＳｉｍｐｌｅに基づく符号化データを含む赤外光を受光した場合に、その旨の通知出力に係る制御をものである。マイコン部１６はデフォルトの設定状態で、給電制御部３０が第１給電状態で給電を行っている場合に、受光部１２での符号化データを含む赤外光の受光に伴って、デコード処理部１３から符号化データの復号化処理を行えた旨が伝えられると、出力処理回路２０へ給電を開始する指示を給電制御部３０へ出力する処理を行うと共に、出力処理回路２０が給電に伴って起動すれば、メモリ１４に記憶されている復号化データの読み出し処理を開始する指示を出力処理回路２０へ出力する処理を行う。なお、マイコン部１６は、後述する出力処理回路２０の条件設定により、符号化データを含む赤外光の受光に連動して起動しない状態（待機状態を維持する状態）がユーザにより設定されていれば、上述したような指示制御は行わない。
【００２９】
また、符号化データを含む赤外光の受光通知出力に関して、マイコン部１６はＬＥＤで構成される発光部１７（通知出力手段に相当）と接続されており、デコード処理部１３から符号化データの復号化処理を行えた旨が伝えられると、マイコン部１６は、発光部１７を複数回点滅発光させる制御を行う。発光部１７は、テレビジョン装置１０の図示しない筐体の前面に表出するように取り付けられており、送信側の装置（例えば、携帯電話機１）のユーザがデータを含む赤外光をＩｒＳｉｍｐｌｅのユニモードで送信したとしても、上述したように発光部１７が複数回点滅することで、送信したデータがテレビジョン装置１０で無事受信されたかを確認することができるようになる。
【００３０】
なお、受光処理回路１１には、図示していないが、テレビジョン装置１０の遠隔操作用のリモコン装置から発せられる操作信号を含む赤外光のリモコン受光部も有しており、第１給電状態でリモコン装置に設けられた電源ボタンがオン操作されると、オン操作の旨がリモコン受光部を通じて最終的に給電制御部３０へ伝えられ、給電制御部３０は出力処理回路２０へ給電を開始するようになっている。
【００３１】
一方、出力処理回路２０は出力処理手段に相当し、メイン制御部２１、操作部２２、出力系回路部２３、およびディスプレイ部２４等を有している。なお、図１では、出力処理回路２０の中身は本発明に関連する部分のみを示しているが、出力処理回路２０は他にも、テレビジョン放送の受信ユニットおよび音声の出力処理部等も含んでいるものとする。
【００３２】
操作部２２は電源ボタン、上下左右キー、および決定キー等の各種操作キーを有しており、電源ボタンのオン操作が行われると、ハード的な電気回路により、出力処理回路２０に給電制御部３０から給電が開始されるようになっている。また、出力処理回路２０に給電が行われている状態で、操作部２２の各種操作キーまたは上述したリモコン装置に設けられた各種操作キーが操作されると、操作内容がメイン制御部２１へ伝えられるようになっている。
【００３３】
メイン制御部２１は、操作部２２またはリモコン装置の操作内容に応じて出力処理回路２０の全体的な制御処理を行うと共に、本発明に関しては、上述した受光処理回路１１で受光（受信）されて復号化されたデータ（例えば、画像データ）をディスプレイ部２４で表示出力するための制御処理を行う。また、表示出力に関する給電制御部３０の給電状態を、メイン制御部２１は２パターンを設定できるようにしている。
【００３４】
１つ目のパターンはデフォルトとして設定されている内容であり、第１給電状態で受光処理回路１１が、符号化データを含む赤外光を受光すると、それに連動して出力処理回路２０にも給電を行って、起動したメイン制御部２１が受光処理回路１１のメモリ１４に記憶されている復号化データを読み出し、表示出力に係る制御を行う処理内容である。この１つ目のパターンにおいて、上述したように受光処理回路１１のマイコン部１６の制御により、出力処理回路へも給電制御部３０が給電を開始し、給電開始により起動したメイン制御部２１は、受光処理回路１１のマイコン部１６からの読み出し指示に応じて、メモリ１４に記憶されている復号化データの読み出し処理を行う。なお、メイン制御部２１は、読み出した復号化データを出力系回路部２３へ送る。
【００３５】
２つ目のパターンは、第１給電状態で受光処理回路１１が、符号化データを含む赤外光を受光しても、出力処理回路２０には給電が開始されずに待機状態（第１給電状態）が維持されるパターンである。この場合、メイン制御部２１は、受光処理回路１１が符号化データを含む赤外光を受光して、デコード処理部１３が復号化処理（デコード処理）を行っても、マイコン部１６が出力処理回路２０へ給電を開始する指示を給電制御部３０へ出さないように、マイコン部１６の指示出力が予め制限されるようになっている。
【００３６】
なお、上述したような２つ目のパターンは、図２に示すメニュー画面３５で設定できるようになっている。メニュー画面３５に応じたメニュー画面データは、メイン制御部２１の図示しない内部メモリに記憶されており、ユーザによる操作部２２の所定の設定操作または図示しないリモコン装置での設定操作により、メイン制御部２１がメニュー画面３５をディスプレイ部２４に表示することで設定を行える状態になる。
【００３７】
メニュー画面３５は、ＩｒＳｉｍｐｌｅに基づくデータ受信に関する作動状態の設定用メニューであり、起動ボタン３５ａ、待機状態３５ｂ、決定ボタン３５ｃ、戻るボタン３５ｄを有する。これらの各ボタン３５ａ〜３５ｄは、操作部２２または図示しないリモコン装置の上下キーの操作で各ボタンにカーソルを合わせた状態で決定キーが操作されると、選択されるようになっている。起動ボタン３５ａは、デフォルトで設定されている上述した１つ目のパターンの内容を選択するためのボタンであり、また、待機維持ボタン３５ｂは、上述した２つ目のパターンの内容を選択するためのボタンであり、いずれかのボタン３５ａ、３５ｂが選択された状態で、決定ボタン３５ｃが選択されると、いずれかのボタン３５ａ、３５ｂに応じた内容（パターン）が設定されることになる。なお、戻るボタン３５ｄが選択されると、図示しないメインメニュー画面へ表示が切り替わるようになっている。
【００３８】
また、図１に示すメイン制御部２１は、操作部２２または図示しないリモコン装置の電源ボタンに対してオン操作がユーザにより行われた場合、給電制御部３０が出力処理回路２０へ給電を行うことに合わせて、受光処理回路１１のメモリコントローラ１５から送られてくる検出結果が、メモリ１４に復号化データが記憶されていることを示していれば、メモリ１４から復号化データを読み出す処理を行う。なお、読み出した復号化データは、出力系経路２３へ送られる。
【００３９】
出力系回路部２３は、メイン制御部２１から送られてきた復号化データ（画像データ）に応じた画像をディスプレイ部２４で表示するために、所定の処理を行うものである。なお、複数の画像データが送られてきた場合は、操作部２２等の操作またはメイン制御部２１で予め設定された内容等に応じて、出力系回路部２３はディスプレイ部２４で表示する画像を順次切り替える処理を行う。
【００４０】
図３のフローチャートは、第１給電状態で、テレビジョン装置１０の受光処理回路１１が、外部から発せられた赤外光に対して行う一連の処理内容を整理したものである。なお、このフローチャートは、符号化データの受光に伴って出力処理回路２０へ給電を行う設定（デフォルトの設定）に対応した内容になっている。以下、このフローチャートに従って受光に関する処理手順を整理して説明する。
【００４１】
先ず、テレビジョン装置１０は、受光処理回路１１の受光部１２で赤外光を受光したか否かを判断する（Ｓ１）。受光が無い場合は（Ｓ１：Ｎｏ）、受光待ちとなり、赤外光を受光した場合（Ｓ１：Ｙｅｓ）、受光した赤外光に含まれるデータがデコード処理部１３でデコード（復号化）可能か否かを判断する（Ｓ２）。
【００４２】
デコードが不可能である場合（Ｓ２：Ｎｏ）、受光した赤外光に含まれるデータはテレビジョン装置１０で表示出力することができないので、出力処理回路２０を起動させる必要もないため、処理を終了することになる。また、デコードできた場合（Ｓ２：Ｙｅｓ）、デコード処理部１３は、デコードを行えた旨をマイコン部１６へ伝えると共に、デコードしたデータ（復号化データ。例えば画像データ）をメモリ１４に送って、メモリ１４に受光に係るデータを記憶させる（Ｓ３）。そして、マイコン部１６は、発光部１７を点滅発光させる制御を行うと共に（Ｓ４）、給電制御部３０へ、出力処理回路２０への給電開始指示を出力し（Ｓ５）、さらに、出力処理回路２０の起動に合わせてメモリ１４に記憶されたデータの読み出し指示をメイン制御部２１へ出力する（Ｓ６）。
【００４３】
給電制御部３０に給電に伴って起動したメイン制御部２１は、マイコン部１６の指示に従って、メモリ１４に記憶されている復号化データ（画像データ）を読み出し（Ｓ７）、読み出した画像データを出力系回路部２３へ送って、画像データに応じた画像をディスプレイ部２４で表示させる（Ｓ８）。このように、本実施形態に係るテレビジョン装置１０は、ＩｒＳｉｍｐｌｅに基づく符号化データを含む赤外光を受光すると、先ず発光部１７を点滅発光させるので、ユニモードでの送信にかかわらず、送信を行ったユーザへデータが無事受信されたことを知らせることができ、ユーザの安心感を得ることができる。また、データの受信が第１給電状態で行われても、第１給電状態で給電が行われている受光処理回路１１内のメモリ１４にデコードしたデータを一時的に記憶保存するので、待機状態でのデータ受信であっても、受信したデータが消失することもなく、装置全体が起動するまで、確実に受信したデータを保持できる。
【００４４】
さらに、第１給電状態でデータの受信を待ち受ける状態であるため、テレビジョン装置１０の消費電力が増加することを抑制でき、ＩｒＳｉｍｐｌｅに応じた符号化データ（画像データ）の受光に応じて、出力処理回路２０へ給電が開始されて、出力処理回路２０の出力処理が作動して、受信した画像データに係る画像が自動的に表示されるので、送信側のユーザ（携帯電話機１のユーザ）は、送信処理を行うだけで撮影した画像をテレビジョン装置１０の大きなディスプレイ部２４で確認できるようになる。
【００４５】
また、図２のメニュー画面３５で、待機維持ボタン３５ｂに係る設定が行われている場合は、図３に示すフローチャートの処理は、Ｓ１の段階からＳ４の段階までの処理が行われることになる。
【００４６】
なお、本発明は上述した実施形態に限定されるものではなく、種々の変形例の適用が想定される。例えば、第１給電状態で、符号化データを含む赤外光を受光した旨を送信側のユーザへ通知出力するための通知出力手段には、図１に示す発光部１７以外に、音出力部を設け、その音出力部から何らかの通知音を出力して、ユーザへ通知するようにしてもよい。また、上述した実施形態では、本発明に係るデータ受光装置をテレビジョン装置１０の場合で説明したが、テレビジョン装置１０以外にも他のデータ出力装置を本発明に係るデータ受光装置として適用させることが可能である。
【００４７】
適用可能な装置例としては、プリンター、録画装置などが考えられ、プリンターに適用した場合は、図１の出力系回路部２３およびディスプレイ部２４が、画像データの印刷出力に係る処理回路部に置き換わることになる。また、録画装置に適用した場合は、図１の出力系回路部２３およびディスプレイ部２４が、ハードディスク装置等の記憶装置へ画像データを出力して記憶させる処理を行わせる回路部、またはテレビジョン装置等の表示装置が接続される外部出力部などに置き換わることになる。
【００４８】
また、本発明に係るデータ受光装置の仕様等によっては、受光部１２で受光した赤外光に含まれる符号化データを復号化しないで、そのままメモリ１４に記憶させることも考えられる。この場合は、出力処理を行う場合にメモリ１４に記憶している符号化データを復号化することになるので、データ受信時の処理負担を低減できるメリットがある。
【図面の簡単な説明】
【００４９】
【図１】本発明の実施形態に係るテレビジョン装置の主要部を示すブロック図である。
【図２】メニュー画面を示す概略図である。
【図３】第１給電状態での受光に対する処理内容を示すフローチャートである。
【符号の説明】
【００５０】
１  テレビジョン装置
１１  受光処理回路
１２  受光部
１３  デコード処理部
１４  メモリ
１５  メモリコントローラ
１６  マイコン部
１７  発光部
２０  出力処理回路
２１  メイン制御部
２２  操作部
２３  出力系回路部
２４  ディスプレイ部
３０  給電制御部
【図１】
0004842905.tif 000002
【図２】
0004842905.tif 000003
【図３】
0004842905.tif 000004